(57)【要約】【課題】発呼中の単純な呼び出し音を任意の音楽に設定可能なシステムにおいて、発呼者が聞いた音楽について、曲名等の関連情報を即座に知ること、また自らの端末への着信メロディ等ファイルダウンロードおよび関連商品の購入手配等を簡単に行うことが困難であった。【解決手段】本発明は、呼び出し中に任意の音楽を発呼者に聞かせる音楽的呼び出し音システムと、着信メロディダウンロードまたは情報サイトまたは物品販売サイトのシステムとを連動させることを最も主要な特徴とする。１が発呼時聞いた楽曲に関する情報を保持する５が楽曲情報を１のメールアドレス等ＩＤ情報等とあわせて６に通知し、６が関連した着信メロディ・符号化ファイル等の楽曲データ情報および楽曲関連および関連商品に関するＵＲＬを含む情報を結びつけて１に配信する。１は自動的にまたは任意に楽曲情報の取得、関連サイトへのアクセスが可能となる。【選択図】        図１
2004172866.tif 000002
【特許請求の範囲】
【請求項１】
携帯電話及び固定電話等の電話機から他の電話機に発呼を行った際、着呼者が接続に応ずるまでの間、単純呼び出し音の代わりに音楽的呼び出し音を発呼側に流し聞かせるシステムにおいて、発呼者が当該楽曲に関する曲名情報等の楽曲情報を知りたい、または当該楽曲および関連楽曲を着信メロディとして設定したい、または当該楽曲に関するその他情報および物品等の商品を入手もしくは購入したい場合、それらに関する情報を即座に通知し、検索操作や別途サイトにアクセスする操作を必要とせず発信側端末に必要な情報をネットワーク経由送付し、簡単に着信メロディ等の関連情報が取得できる電話交換機ネットワークおよび着信メロディを含む楽曲情報配信システム。
【発明の詳細な説明】
【０００１】
【発明が属する技術分野】
本発明は、電話交換機およびインターネット等を利用したデータ交換ネットワークシステムに関するものである。
【０００２】
【従来の技術】
従来は携帯電話及び固定電話等の電話機から他の電話機に発呼を行った際には着呼者が応ずるまでの間、単純な呼び出し音を聞かせていた。この呼び出し音を任意の音楽に設定可能な電話交換機システムにおいて、発呼者が聞いた音楽的呼び出し音はただ聞かせるだけのシステムであり、着信メロディとして自己の端末に設定したり、関連情報を入手したり、関連商品を購入するためには改めて着信メロディサイト・情報サイト・物品販売サイトにアクセスするなどして検索しなければならなかった。また、曲名歌手名等そのものが分からず検索が不可能な状況もあった。
【０００３】
この改善策として、音楽的呼び出し音システムと、着信メロディファイル、音楽符号化ファイル等を格納し、楽曲関連情報を備え物品販売などのサイトとも連動した楽曲情報サーバーシステムとを連動させ、発呼の都度、通話中もしくは終話後にＵＲＬを含んだ関連情報を発呼者端末に送付する新しい方法が本発明である。
【０００４】
【発明が解決しようとする課題】
解決しようとする問題点は、電話呼び出し中に聞かされる音楽に関する楽曲情報を入手し、即座に自らの端末の着信音として設定したり関連商品を入手しようとした際に、着信メロディダウンロードサイトまたは情報サイトまたは物品販売サイトのシステムと連動しておらずファイル取得操作ないし検索が煩雑である点である。
【０００５】
【課題を解決するための手段】
本発明は、呼び出し中に任意の音楽を発呼者に聞かせる音楽的呼び出し音システムと、着信メロディダウンロードまたは情報サイトまたは物品販売サイトのシステムとを連動させることを最も主要な特徴とする。
【０００６】
【発明の実施の形態】
発呼した電話機に対し聞かせる任意の音楽的呼び出し音に関し、当該楽曲についての着信メロディを含む関連情報を発呼者に配信するという目的を、電話交換機ネットワークと音楽的呼び出し音システム、着信メロディおよび楽曲情報システムを連動させることで実現した。
【０００７】
【実施例】
図１は、本発明を実施する際の例となる概要図である。
【０００８】
着呼側電話機である２は予め５のシステムに対し▲１▼により発呼者に聞かせる任意の音楽的呼び出し音を設定しておく。発呼側電話機である１は▲２▼により発呼を行い、このとき５の音楽的呼び出し音システムに対し１を特定できる唯一無二の電話番号等を必ず通知する。▲３▼’により２を呼び出すが、同時に▲３▼により１は２が予め設定した音楽的呼び出し音を２が接続に応じるまでの間聞くことになる。
【０００９】
５のシステムは加入者の端末を特定できる唯一無二の電話番号等のＩＤ情報と対応したメールアドレス及び音楽的呼び出し音設定楽曲のデータベースを持つ。
【００１０】
▲３▼と同時もしくは１と２の通話が終了直後に▲４▼によって１を特定する電話番号等に加え１のメールアドレス、そして２により予め設定され今回の発呼において再生された楽曲情報を６の着信メロディおよび楽曲情報システムに対し通知する。
【００１１】
６の着信メロディおよび楽曲情報システムは着信メロディダウンロードサイト、楽曲情報サイト、物品販売サイトを含む、またはそれらと連動している。７のメールサーバーを利用してインターネット若しくは電話会社の独自網等を通じ１の加入者に対し、楽曲に関する楽曲名・歌手名・作曲者名・作詞者名・収録アルバム名等の楽曲文字情報に加え、当該楽曲の着信メロディファイルを取得できるｗｅｂページに直接アクセスできるＵＲＬを含む情報、当該楽曲及び関連楽曲に関するＵＲＬを含むあらゆる情報、当該楽曲に関連した商品を入手できるＵＲＬを含む情報を記述したメールを送信する。またこの際メールに添付する形で着信メロディ等楽曲ファイルを送付可能な場合は直接送付してもよく、その場合は▲７▼および▲８▼の手順を省いて着信メロディ等楽曲ファイルを入手できる。
【００１２】
▲５▼の手順においてメールで１に対し情報配信を行う手段のほか、１に対し電話をかけるなどメール以外の手段を採ってもよく、音声情報をもって、または音声情報と文字情報を組み合わせた手段を採ってもよい。
【００１３】
▲５▼においては着信メロディのみならず音楽そのものの符号化データを取得できるようにしてもよく、またその楽曲に関連した情報及び関連したＣＤ・ＤＶＤ・グッズ等の物品販売へと結びつくようＵＲＬを含む情報を付加してもよい。
【００１４】
１はメールが到着することにより自動的にまたは任意に楽曲情報の取得、関連サイトへのアクセスが可能となる。▲６▼・▲７▼の手順でＵＲＬ情報により６のｗｅｂサーバーにアクセスし、当該楽曲の着信メロディファイルを簡単に取得したり、物品を入手または購入申し込みをすることができる。
【００１５】
▲７▼において１に返送する着信メロディ等楽曲ファイルの形式は、▲６▼のリクエスト時に１の端末情報を取得し、その機種で再生可能かつ最適なファイルを自動選択することが可能である。
【００１６】
【発明の効果】
以上説明したように本発明のシステムは、発呼者が呼び出し中に聞く音楽的呼び出し音についてその楽曲情報を発呼者に即座に明らかにし、しかも一連の動作で発呼者端末用の着信メロディ等楽曲ファイルを取得したり関連商品の入手または購入申し込みできるため、楽曲を設定した加入者に曲名などの不明な情報につき問い合わせる必要もなく、また別途着信メロディサイトまたは物品販売サイト等にアクセスして着信メロディを取得する必要もない。また関連商品の販売にも結びつけられるため商機が拡大される。
【図面の簡単な説明】
【図１】発呼中呼び出し音に関連する着信メロディ等の情報配信の実施方法を示した説明図である。
【符号の説明】
１    発呼側の携帯電話または固定電話機
２    着呼側の携帯電話または固定電話機
３    発呼側の基地局・交換局等ネットワーク
４    着呼側の基地局・交換局等ネットワーク
５    音楽的呼び出し音システム
６    着信メロディおよび楽曲情報システム
７    メールサーバー
【図１】
2004172866.tif 000003